(57)【要約】【課題】モルタルおよび装飾材の間に生じた「浮き」にも十分に接着剤を注入することができるピンニング工法を提供することである。【解決手段】挿填穴１０の深さおよび浮き部７，８，９を探査する探査治具５５と、切断可能なノズル筒１８を有する複数の接着剤注入器１１を用い、挿填穴１０の深さおよび浮き部７，８，９を探査する探査工程と、挿填穴１０の最深部に開口するように、１の接着剤注入器１１のノズル筒１８を切断して、最深部用の接着剤注入器１１を準備する第１注入器準備工程と、探査した浮き部７，８，９の位置に開口するように、他の接着剤注入器１１，１１，１１のノズル筒１８を切断して、浮き部用の接着剤注入器１１，１１，１１を準備する第２注入器準備工程と、挿填穴１０の最深部廻りに接着剤Ｒを注入する第１注入工程と、浮き部７，８，９廻りに接着剤Ｒを注入する第２注入工程と、を備えたものである。【選択図】図４
2011094391.tif 000002
【特許請求の範囲】
【請求項１】
複数の壁材を積層してなる壁体に穿孔した挿填穴に対し、接着剤を注入して前記壁体を補修するピンニング工法であって、
前記挿填穴の深さおよび前記壁材の境界部分に生じた浮き部を探査する探査手段と、切断可能なノズル筒を有する注入ノズル、および前記注入ノズルが着脱自在に装着される注入器本体から成る複数の接着剤注入器と、を用い、
前記探査手段により、前記挿填穴の深さおよび前記浮き部を探査する探査工程と、
探査した前記挿填穴の最深部に開口するように、１の前記接着剤注入器の前記ノズル筒を切断して、最深部用の接着剤注入器を準備する第１注入器準備工程と、
探査した１以上の前記浮き部の位置に開口するように、他の１以上の前記接着剤注入器の前記ノズル筒を切断して、１以上の浮き部用の接着剤注入器を準備する第２注入器準備工程と、
前記最深部用の接着剤注入器により、前記挿填穴の最深部廻りに前記接着剤を注入する第１注入工程と、
前記浮き部用の接着剤注入器により、前記挿填穴の浮き部廻りに前記接着剤を注入する第２注入工程と、を備えたことを特徴とするピンニング工法。
【請求項２】
前記探査工程において、前記浮き部が複数探査され、
前記第２注入器準備工程では、前記各浮き部の位置に開口するように、他の複数の前記接着剤注入器の前記ノズル筒を切断して、複数の浮き部用の接着剤注入器を準備し、
前記第２注入工程では、複数の前記浮き部用の接着剤注入器を用い、前記挿填穴の前記各浮き部廻りに前記接着剤を注入することを特徴とする請求項１に記載のピンニング工法。
【請求項３】
前記第１注入器準備工程では、断面が楕円形となるように、前記ノズル筒を斜めに切断することを特徴とする請求項１または２に記載のピンニング工法。
【請求項４】
前記注入ノズルは、前記ノズル筒と、前記ノズル筒を保持するノズルボディーと、を有し、
前記ノズル筒は、前記ノズルボディーに対して着脱可能に保持されていることを特徴とする請求項１ないし３のいずれかに記載のピンニング工法。
【請求項５】
前記第２注入工程の後、前記挿填穴にアンカーピンを挿填するピン挿填工程を、更に備えたことを特徴とする請求項１ないし４のいずれかに記載のピンニング工法。
【発明の詳細な説明】
【技術分野】
【０００１】
本発明は、積層してなる壁体の壁材間の境界に生じた「浮き」にも、接着剤を注入することができるピンニング工法に関するものである。
【背景技術】
【０００２】
従来、この種のピンニング工法として、モルタルおよびコンクリート躯体からなる外壁の要補修箇所に穿孔した挿填穴の開口部を封止して、樹脂（接着剤）を注入する方法が知られている（特許文献１参照）。
このピンニング方法に使用する注入ノズルは、樹脂注入器本体に装着され、軸心に形成された樹脂流路を有するノズル本体（ノズルボディー）と、基端部がノズル本体に保持され、樹脂流路に連なると共に注入流路を形成した注入針（ノズル筒）と、を備えている。
この場合、注入ノズルは、注入針を挿填穴に挿入し押圧することで、ノズル本体が開口部に密接してこれを封止する。そして、樹脂は、この状態で樹脂注入器を操作（ポンピング）することにより、挿填穴の最深部から徐々に満たされ、コンクリート躯体とモルタルとの間の浮き部に行き渡る。さらに所定の回数ポンピングを行うことにより、樹脂の注入が完了する。
【先行技術文献】
【特許文献】
【０００３】
【特許文献１】特開２００３−１４７９７１号公報
【発明の概要】
【発明が解決しようとする課題】
【０００４】
しかしながら、このようなピンニング工法では、挿填穴廻りにおいて、コンクリート躯体およびモルタルの間のみならず、モルタルおよび装飾材の間にも「浮き」が生じている場合、「浮き」の部分ではエアーが抜けるため、先にコンクリート躯体およびモルタルの間の「浮き」のにのみ樹脂が充填されてしまい、モルタルおよび装飾材の間の「浮き」に樹脂が達しないことがある。かかる場合には、注入ノズルを引き抜きながら、この部分に樹脂を注入せざるを得なかった。但し、注入ノズルを引き抜くと、開口部の封止が解かれてしまうため、モルタルおよび装飾材の間の「浮き」に、樹脂を十分に行き渡らせることができない問題があった。
【０００５】
本発明は、積層してなる壁体の壁材間の境界に生じたすべての「浮き」に十分に接着剤を注入することができるピンニング工法を提供することを課題としている。
【課題を解決するための手段】
【０００６】
本発明のピンニング工法は、複数の壁材を積層してなる壁体に穿孔した挿填穴に対し、接着剤を注入して壁体を補修するピンニング工法であって、挿填穴の深さおよび壁材の境界部分に生じた浮き部を探査する探査手段と、切断可能なノズル筒を有する注入ノズル、および注入ノズルが着脱自在に装着される注入器本体から成る複数の接着剤注入器と、を用い、探査手段により、挿填穴の深さおよび浮き部を探査する探査工程と、探査した挿填穴の最深部に開口するように、１の接着剤注入器のノズル筒を切断して、最深部用の接着剤注入器を準備する第１注入器準備工程と、探査した１以上の浮き部の位置に開口するように、他の１以上の接着剤注入器のノズル筒を切断して、１以上の浮き部用の接着剤注入器を準備する第２注入器準備工程と、最深部用の接着剤注入器により、挿填穴の最深部廻りに接着剤を注入する第１注入工程と、浮き部用の接着剤注入器により、挿填穴の浮き部廻りに接着剤を注入する第２注入工程と、を備えたことを特徴とする。
【０００７】
この構成によれば、挿填穴の深さおよび浮き部を探査した後、探査した挿填穴の最深部および浮き部の位置に先端が開口するように、ノズル筒をそれぞれ切断して、最深部用の接着剤注入器および浮き部用の接着剤注入器を準備する。そして、最深部用の接着剤注入器によって、挿填穴の最深部廻りに接着剤を注入し、浮き部用の接着剤注入器によって、浮き部廻りに接着剤を注入する。これにより、挿填穴のみならず、浮き部に対しても十分に接着剤を注入することができる。
【０００８】
この場合、探査工程において、浮き部が複数探査され、第２注入器準備工程では、各浮き部の位置に開口するように、他の複数の接着剤注入器のノズル筒を切断して、複数の浮き部用の接着剤注入器を準備し、第２注入工程では、複数の浮き部用の接着剤注入器を用い、挿填穴の各浮き部廻りに接着剤を注入することが、好ましい。
【０００９】
この構成によれば、各浮き部に対応して複数準備された複数の接着剤注入器により、各浮き部に対して接着剤が注入される。このため、挿填穴のみならず、生じたすべての浮き部に対しても十分に、且つ適切に接着剤を行き渡らせることができる。なお、挿填穴の深い位置から浅い位置に向かって、接着剤を注入することが好ましい。
【００１０】
この場合、第１注入器準備工程では、断面が楕円形となるように、ノズル筒を斜めに切断することが、好ましい。
【００１１】
この構成によれば、ノズル筒の先端部が挿填穴の最深部に突き当てた状態であっても、ノズル筒の開口が閉塞されることがなく、接着剤を適切に注入することができる。
【００１２】
この場合、注入ノズルは、ノズル筒と、ノズル筒を保持するノズルボディーと、を有し、ノズル筒は、ノズルボディーに対して着脱可能に保持されていることが、好ましい。
【００１３】
この構成によれば、ノズル筒が、ノズルボディーに対して着脱可能に保持されているため、ノズル筒を交換することで、接着剤注入器を繰り返し使用することができると共に、分解して簡単に洗浄することができる。
【００１４】
この場合、第２注入工程の後、挿填穴にアンカーピンを挿填するピン挿填工程を、更に備えたことが、好ましい。
【００１５】
この構成によれば、接着剤が注入された挿填穴に、複数の壁材に亘るようにアンカーピンを最深部まで挿填する。そして、接着剤が硬化することにより、壁体の補修が完了する。この場合、挿填穴の接着剤を介して、アンカーピンにより壁体を強固に押えることができ、且つ浮き部の接着剤により壁材同士を強固に接着することができる。したがって、外壁の補修を良好に行うことができる。
【図面の簡単な説明】
【００１６】
【図１】接着剤注入器を、外壁に穿孔した挿填穴に対して使用する断面模式図である。
【図２】接着剤注入器の平面図である。
【図３】注入ノズルの断面図である。
【図４】ノズル筒の切断位置を示す説明図である。
【図５】ピンニング工法の工程図（１）である。
【図６】ピンニング工法の工程図（２）である。
【図７】ピンニング工法の工程図（３）である。
【発明を実施するための形態】
【００１７】
以下、添付した図面を参照して、本発明の一実施形態に係るピンニング工法について説明する。このピンニング工法では、注入ノズルを装着した接着剤注入器を用い、「浮き（浮き部）」が生じた建物の外壁、吹き抜けやホール等の内壁の要補修箇所に穿孔した挿填穴に対して、注入ノズルを挿入して接着剤を注入した後、アンカーピンを挿填して、これを補修する。以下、建物の外壁を施工する場合について説明する。
【００１８】
図１に示すように、建物の外壁１は、例えば下地となるコンクリート躯体２と、その表面に塗着させた仕上げ材３と、で構成されている。また、仕上げ材３は、第１モルタル４（下地）と、第２モルタル５（仕上げ）と、第２モルタル５の表面に貼ったタイルや石材などの装飾材６と、で構成されている。この場合、コンクリート躯体２および第１モルタル４の間には第１浮き部７が生じ、第１モルタル４および第２モルタル５の間には第２浮き部８が生じ、さらに第２モルタル５および装飾材６の間には第３浮き部９が生じているものとする。また、外壁１には、装飾材６、浮き部７，８，９を貫通し、且つコンクリート躯体２を所定の深さまで穿孔した挿填穴１０が、装飾材６の中心に形成されている。そして、その挿填穴１０に対し、複数の接着剤注入器１１による接着剤Ｒの注入とアンカーピン５７の挿填（図４ないし図６参照）とが行われることで、外壁１の補修が行われる。
【００１９】
ここで、図２を参照して、複数の接着剤注入器１１およびそれぞれの接着剤注入器１１の役割について説明する。各接着剤注入器１１は、接着剤Ｒを供給するポンプ形式の注入器本体１２と、注入器本体１２の先端部に対して、着脱自在に装着された注入ノズル１３と、で構成されている。
【００２０】
注入器本体１２は、基端側に延在して接着剤Ｒが充填された筒状のケーシング１４と、ケーシング１４が着脱自在に取り付けられるポンプ本体１５と、ポンプ本体１５に保持された略「Ｌ」字状のレバー１６と、を備えている。注入器本体１２は、ポンプ本体１５に対して、基端側からケーシング１４がセットされることにより組み立てられる。そして、接着剤注入器１１は、さらに先端側から注入ノズル１３が装着されることにより組み立てられる。接着剤注入器１１は、手動でレバー１６を操作（ポンピング）することにより、接着剤Ｒを一定量ずつ注入ノズル１３から吐出させるようになっている。なお、接着剤Ｒは、エポキシ樹脂接着剤のほか、例えば各種有機接着剤や無機接着剤等であってもよい。
【００２１】
図２および図３に示すように、注入ノズル１３は、注入器本体１２に対して着脱自在に装着され、内部に注入器本体１２に連なる接着剤流路２６が形成されたノズルボディー２１と、ノズルボディー２１に保持されたノズル筒１８と、を備えている。ノズルボディー２１は、ノズル筒１８を保持するゴム製のボディー本体２３と、ボディー本体２３の基端側に突き当てられ、内部に接着剤流路２６を形成した連結部材２４と、連結部材２４に螺合し、ボディー本体２３を覆うようにして保持する保持部材２５と、から構成されている。注入ノズル１３は、ノズル筒１８の基端側をボディー本体２３に固定し、ボディー本体２３の基端側に連結部材２４の先端を差し込むと共に、ボディー本体２３に先端側から保持部材２５を被せて、保持部材２５の基端側を連結部材２４に螺合することにより、組み立てられている。
【００２２】
ボディー本体２３は、フッ素ゴムやブチルゴム等の弾性材で構成されており、先端側に向かって先細りの円錐台形（テーパー形状）に形成されたシール部３１と、シール部３１の基端に連なり筒状に形成された円筒部３２と、環状段部を存して円筒部３２の基端に連なった太径の太筒部３３と、で一体に成形されている。太筒部３３の基端側には、連結部材２４の先端が嵌合する円形の装着溝３４が形成されている。また、ボディー本体２３軸心部には、ノズル筒１８を保持する貫通孔が形成されている。
【００２３】
保持部材２５は、ステンレスやスチール等の金属材により筒状に形成されており、注入ノズル１３において最も太い径となる太径保持部４１と、環状段部を存して太径保持部４１の先端に連なった細径保持部４２と、を有している。太径保持部４１は、内径がボディー本体２３の太筒部３３と同径に形成されており、先端側で太筒部３３を囲繞している。また、太径保持部４１の基端側内周面には、連結部材２４に螺合する雌ねじが螺刻されている。一方、細径保持部４２は、内径がボディー本体２３の円筒部３２と同径に形成されており、円筒部３２を囲繞している。ボディー本体２３に連結部材２４を突き当てた状態で、先方から保持部材２５を装着し、その太径保持部４１を連結部材２４に螺合すると、細径保持部４２（環状段部）がボディー本体２３を連結部材２４側に強く引き付ける。これにより、ボディー本体２３と連結部材２４とが一体化し、接着剤流路２６の下流端がボディー本体２３の装着溝３４にシールされる。
【００２４】
連結部材２４は、ステンレスやスチール等の金属材で形成されており、ボディー本体２３の装着溝３４に嵌入される先端側の差込部４３と、差込部４３の基端側に連なる太径の太径螺合部４４と、太径螺合部４４の基端側に連なる細径の細径螺合部４５と、により一体に形成されている。また、連結部材２４の軸心には、上流端が注入器本体１２に連通すると共に、下流端が注入流路５３に連通した接着剤流路２６が形成されている。太径螺合部４４は、差込部４３よりも太径の円筒状に形成され、外周面には雄ねじが螺刻されると共に、外周面基端側には、平坦に研削された一対のスパナ掛け部４６（図１参照）が形成されている。また、細径螺合部４５の外周面にも、雄ねじが螺刻されており注入器本体１２と螺合するようになっている。
【００２５】
ノズル筒１８は、基部側をボディー本体２３に保持されており、現場合わせで簡単に切断できるように、ポリプロピレン等の樹脂素材で構成されている。また、ノズル筒１８の長さは、想定される最大深の挿填穴１０の深さより、長く設計されている。ノズル筒１８は、先端部に開口した吐出口５１と、基端部に形成した流入口５２と、軸心に形成され、吐出口５１および流入口５２を連通する注入流路５３と、から構成されている。注入流路５３は、流入口５２を介して連結部材２４の接着剤流路２６に連通しており、流れてきた接着剤Ｒを吐出口５１から挿填穴１０内に吐出する。
【００２６】
詳細は後述するが、複数の接着剤注入器１１において、それぞれのノズル筒１８は、挿填穴１０の深さおよび浮き部７，８，９の位置に合わせて、現場で適宜切断して用いられる（図３参照および図４）。例えば、図１に図示した外壁１を補修する際には、図４に示すように、第１の接着剤注入器１１におけるノズル筒１８の先端（吐出口５１）は、挿填穴１０への挿入時に挿填穴１０の最深部に開口するように（図３におけるＡの位置）切断される。同様に、第２の接着剤注入器１１におけるノズル筒１８の先端は、第１浮き部７の位置に開口するように（図３におけるＢの位置）、第３の接着剤注入器１１におけるノズル筒１８の先端は、第２浮き部８の位置に開口するように（図３におけるＣの位置）、さらに第４の接着剤注入器１１におけるノズル筒１８の先端は、第３浮き部９の位置に開口するように（図３におけるＤの位置）、それぞれ切断される。
【００２７】
次に、図４ないし図７を参照して、上記した複数の接着剤注入器１１を用いて、図１に例示した外壁１へのピンニング工法について説明する。このピンニング工法は、ハンマー等を用いて外壁１を打診し、その打診音に基づいて外壁１の要補修箇所、すなわち、少なくとも１の浮き部７，８，９が生じている領域を特定して、挿填穴１０の穿孔位置を決定する。これに続いて、穿孔位置にマーキングが行われた後、装飾材６およびモルタル４，５を貫通し且つコンクリート躯体２を所定の深さまで穿孔して挿填穴１０を形成する穿孔工程と、探査治具（探査手段）５５により、浮き部７，８，９の有無と、深さ挿填穴１０の深さおよび壁材の境界部分に生じた浮き部７，８，９と、を探査する探査工程と、探査した挿填穴１０の最深部および浮き部７，８，９の位置に開口するように、複数の接着剤注入器１１の各ノズル筒１８を切断して、最深部用の接着剤注入器１１および複数の浮き部用の接着剤注入器１１を準備する注入器準備工程と、最深部用の接着剤注入器１１および浮き部用の接着剤注入器１１により、挿填穴１０に接着剤Ｒを注入する接着剤注入工程と、接着剤Ｒが注入された挿填穴１０に、アンカーピン５７を挿填するピン挿填工程と、が実施される。
【００２８】
穿孔工程では、ダイヤモンドコアドリル等の穿孔工具５４を使用して、マーキングした外壁１の各穿孔位置に挿填穴１０を穿孔する（図５（ａ）参照）。すなわち、装飾材６、第１モルタル４および第２モルタル５を貫通するようにしてコンクリート躯体２を所定の深さまで穿孔して、挿填穴１０を形成する。この際、穿孔は、外壁１に対して直角に行い、コンクリート躯体２への穿孔深さを３０ｍｍ以上とする。また、挿填穴１０は、アンカーピン５７が遊嵌できるようにアンカーピン５７より一回り大きな径（１ｍｍ〜２ｍｍ太径）のストレート穴に形成する。
【００２９】
探査工程では、先端にフック部５６を有し、挿填穴１０より長尺に形成された目盛り付きのスケール等の探査治具５５を用い、挿填穴１０における穴開口１７から最深部までの距離と、挿填穴１０における浮き部７，８，９の位置を探査する。具体的には、まず探査治具５５を挿填穴１０の最深部に挿入して、穴開口１７から最深部までの深さ（距離）を測定する。続いて挿填穴１０の穴壁をなぞるように探査治具５５を手前に引いてくる。これにより、浮き部７，８，９が存在した場合、先端のフック部５６が浮き部７，８，９に引っ掛かる。フック部５６が浮き部７，８，９に引っ掛かったら、穴開口１７における目盛りを読み取ることで、穴開口１７から浮き部７，８，９までの距離（好ましくは、浮き部７，８，９の間隙寸法も）を測定する（図５（ｂ）参照）。
【００３０】
注入器準備工程では、探査工程の探査結果に基づいて、各ノズル筒１８を切断する。具体的には、第１の接着剤注入器１１におけるノズル筒１８の長さ（実際には、シール部３１のシール位置からノズル筒１８の先端までの長さ）を挿填穴１０における穴開口１７から最深部までの距離と同じになるように、且つその吐出口５１が断面楕円状になるように（斜めに）先端を切断する（第１注入器準備工程）。次に、第２の接着剤注入器１１におけるノズル筒１８を、挿填穴１０における穴開口１７から第１浮き部７までの距離と同じになるように、また第３の接着剤注入器１１におけるノズル筒１８を、挿填穴１０における穴開口１７から第２浮き部８までの距離と同じになるように、さらに第４の接着剤注入器１１におけるノズル筒１８を、挿填穴１０における穴開口１７から第３浮き部９までの距離と同じになるように、それぞれ切断する（第２注入器準備工程）。これにより、接着剤Ｒの注入時において、吐出口５１が挿填穴１０の最深部に位置に開口する最深部用（第１）の接着剤注入器１１が準備されると共に、吐出口５１が浮き部７，８，９に位置する複数の浮き部用（第２ないし第４）の接着剤注入器１１が準備される。
【００３１】
注入工程では、挿填穴１０の深い位置から接着剤Ｒを注入していく。まず、最深部用（第１）の接着剤注入器１１を用いて、挿填穴１０の最深部から接着剤Ｒを注入する（第１注入工程）。具体的には、ノズル筒１８を挿填穴１０に挿入して、接着剤注入器１１を外壁１に押し付けることで、シール部３１により穴開口１７を封止する。続いて、注入器本体１２のレバー１６を操作（ポンピング）して、接着剤Ｒを挿填穴１０に注入していく。ポンピングを開始すると、ノズル筒１８の吐出口５１から接着剤Ｒが吐出され、接着剤Ｒが挿填穴１０の最深部から徐々に注入されてゆく。そして、接着剤Ｒが、第１浮き部６に達する前にポンピングを中止する（図５（ｃ）参照）。
【００３２】
続いて、複数の浮き部用の接着剤注入器１１，１１，１１を用いて、浮き部７，８，９廻りに接着剤Ｒを注入する（第２注入工程）。まず、第１浮き部用（第２）の接着剤注入器１１のノズル筒１８を挿填穴１０に挿入し、シール部３１により穴開口１７を封止した状態で、第１浮き部７廻りに接着剤Ｒを注入する（図６（ａ）参照）。次に、第１浮き部用の接着剤注入器１１にかえて、第２浮き部用（第３）の接着剤注入器１１のノズル筒１８を挿填穴１０に挿入して、第２浮き部８廻りに接着剤Ｒを注入する（図６（ｂ）参照）。最後に、第２浮き部用の接着剤注入器１１にかえて、第３浮き部用（第４）の接着剤注入器１１のノズル筒１８を挿填穴１０に挿入して、第３浮き部９廻りに接着剤Ｒを注入する（図７（ａ）参照）。すなわち、ノズル筒１８が長い接着剤注入器１１から順番に用いて、挿填穴１０における深い位置に生じている浮き部７廻りから順番に、浅い位置に生じている浮き部８，９に接着剤Ｒを注入する。なお、注入工程では、少なくとも浮き部７，８，９に接着剤を注入することができればよく、第１注入工程および第２注入工程のいずれを先に実施してもよい。また同様に、第２注入工程において浮き部７，８，９廻りに対する接着剤の注入も、いずれの順番であってもよい。
【００３３】
ピン挿填工程では、接着剤Ｒが注入された挿填穴１０に対し、アンカーピン５７のピン胴部を案内させながら挿填してゆく（図７（ｂ）参照）。挿填されてゆくアンカーピン５７は、挿填穴１０内の接着剤Ｒを押し退けるようにして最深部に達する。これに伴い、接着剤Ｒは、ピン胴部となじむように隙間に流動し、さらにその一部は挿填穴１０の穴開口１７に向かって押し出されていく。そして、アンカーピン５７は、先端が挿填穴１０の最深部に達するところで、頭部が穴開口１７を閉止する。
【００３４】
ところで、実際の施工においては（１人作業）、要補修箇所に対し、必要数の挿填穴１０を連続して穿孔し（穿孔工程）、そのうちの代表的な数箇所の挿填穴１０に対し探査を行う（探査工程）ことが好ましい。また、注入器準備工程の後、全部の挿填穴１０に連続して最深部への接着剤Ｒ注入を行い（第１注入工程）、さらに全部の挿填穴１０に連続して各浮き部７，８，９への接着剤Ｒ注入を行う（第２注入工程）ことが好ましい。
【００３５】
なお、装飾材６にザグリ穴を形成し、この部分にアンカーピン５７の頭部を係止してもよい（図示省略）。かかる場合には、別途、穴開口１７を閉止する化粧キャップを設けるようにする。また、注入口付アンカーピンを用いる場合も、注入口付アンカーピンを装填する前に、上記のように接着剤Ｒを注入することが好ましい。
【００３６】
以上の構成によれば、挿填穴１０の深さおよび浮き部７，８，９を探査した後、ノズル筒１８をそれぞれ切断して、最深部用の接着剤注入器１１および浮き部用の接着剤注入器１１を準備する。そして、最深部用および浮き部用の接着剤注入器１１，１１，１１，１１を用いて接着剤Ｒを注入する。これにより、挿填穴１０のみならず、浮き部７，８，９に対しても十分に接着剤Ｒを注入することができる。また、ピンニング工法においては、外壁１の補修を良好に行うことができる。
【符号の説明】
【００３７】
１…外壁  ７…第１浮き部  ８…第２浮き部  ９…第２浮き部  １０…挿填穴  １１…接着剤注入器  １２…注入器本体  １３…注入ノズル  １８…ノズル筒  ２１…ノズルボディー  ２６…接着剤流路  ５１…吐出口  ５５…探査治具  ５７…アンカーピン  Ｒ…接着剤
【図１】
2011094391.tif 000003
【図２】
2011094391.tif 000004
【図３】
2011094391.tif 000005
【図４】
2011094391.tif 000006
【図５】
2011094391.tif 000007
【図６】
2011094391.tif 000008
【図７】
2011094391.tif 000009